(57)【要約】【課題】酸素濃縮装置を使用している際にハンドルに不具合が出た場合に、ハンドルを容易に交換できる酸素濃縮装置を提供する。【解決手段】酸素濃縮装置１は、車輪により移動可能で、患者を含む使用者が酸素吸入を行うための装置であって、酸素を生成する装置本体２と、装置本体２を移動する際に持つハンドル３であって、装置本体２に対して伸縮可能に設けられるハンドル３と、を備え、ハンドル３は、装置本体２に対して取外し可能に設けられている。【選択図】図７
2016135198.tif 000002
【特許請求の範囲】
【請求項１】
車輪により移動可能で、患者を含む使用者が酸素吸入を行うための酸素濃縮装置であって、
前記酸素を生成する装置本体と、
前記装置本体を移動する際に持つハンドルであって、前記装置本体に対して伸縮可能に設けられる前記ハンドルと、
を有し、
前記ハンドルを、前記装置本体に対して取外し可能に支持するハンドル支持機構部を備えることを特徴とする酸素濃縮装置。
【請求項２】
前記ハンドルは、
前記装置本体を移動する際に持つための取手部と、
前記取手部が端部に取り付けられているパイプ部材と、を有し、
前記ハンドル支持機構部は、
前記装置本体に対して着脱可能に固定され、前記パイプ部材を移動可能に支持する第１支持体と、
前記装置本体に対して着脱可能に固定され、前記パイプ部材を移動可能に支持し、前記第１支持体よりも下部に配置されている第２支持体と、
を有することを特徴とする請求項１に記載の酸素濃縮装置。
【請求項３】
前記装置本体は、前記ハンドルの前記パイプ部材と前記第１支持体と前記第２支持体を覆い、前記装置本体に対して着脱可能なカバー部材を有することを特徴とする請求項２に記載の酸素濃縮装置。
【請求項４】
前記装置本体の上部には、手指挿入用の凹部が設けられており、
前記ハンドルが前記装置本体側に収納された状態では、前記取手部は、前記装置本体の前記手指挿入用の凹部に対応する位置には取手部凹部を有することを特徴とする請求項１ないし３のいずれかに記載の酸素濃縮装置。
【請求項５】
前記パイプ部材には、複数の位置決め用の孔部が設けられており、前記第１支持体は位置決め用のピンを有し、
前記複数の位置決め用の孔部のいずれかに対して、前記位置決め用のピンを挿入することで、前記装置本体からの前記パイプ部材の引出し長さの調整が可能であることを特徴とする請求項２ないし４のいずれかに記載の酸素濃縮装置。
【請求項６】
前記ハンドルが前記装置本体内に収納されている状態で、前記ハンドルの端部は、前記装置本体を設置している設置面に向かって延びて、前記設置面に突き当たるやや手前に達する構成とされていることを特徴とする請求項１ないし５のいずれかに記載の酸素濃縮装置。
【請求項７】
前記ハンドルが前記装置本体内に収納されている状態で、前記ハンドルの端部は、前記装置本体を設置している設置面に向かって延びて、前記設置面に突き当たる構成とされていることを特徴とする請求項１ないし５のいずれかに記載の酸素濃縮装置。
【発明の詳細な説明】
【技術分野】
【０００１】
本発明は、空気中から酸素を分離生成する移動型の酸素濃縮装置に関する。
【背景技術】
【０００２】
酸素濃縮装置は、肺に疾病を抱える患者を含む使用者が高濃度の酸素を吸引するために使用する。この酸素濃縮装置では、コンプレッサが空気を取り込んで圧縮空気を作り、この圧縮空気は吸着筒の内部に送り込み、吸着筒内の吸着剤に空気の窒素を吸着させる。これにより、酸素濃縮装置は、濃縮酸素を生成する。この生成した濃縮酸素は、カニューラを用いて患者を含む使用者に摂取させる。
【０００３】
患者を含む使用者が移動可能な移動型の酸素濃縮装置は、特許文献１に開示されている。この移動型の酸素濃縮装置は、装置本体と、この装置本体に取り付けられた車輪と、装置本体に取り付けられて上下に移動可能なハンドルと、このハンドルを適当な長さにして締めることでハンドルを装置本体に固定する２カ所の固定つまみを、有している。
患者を含む使用者は、このハンドルを装置本体から適当な長さに伸ばして、２カ所の固定つまみでハンドルを固定した後、ハンドルを持って装置本体を移動することができる。そして、患者を含む使用者は、装置本体の移動が完了すると、固定つまみを緩めてこのハンドルを装置本体側へ押し込んで納める。
【先行技術文献】
【特許文献】
【０００４】
【特許文献１】特開平１１−２６２５２６号公報
【発明の概要】
【発明が解決しようとする課題】
【０００５】
ところが、特許文献１の移動型の酸素濃縮装置では、ハンドルは、２カ所の固定つまみだけで装置本体側に固定する構造であるので、ハンドルと装置本体との間の固定状態が弱く、ハンドルに無理な負荷が掛かって曲がったり、破損してしまったり、固定摘みが破損してしまうおそれがある。このため、患者を含む使用者等が、ハンドルを持って比較的重い装置本体を移動すると、固定つまみが破損したり、ハンドルが破損したり曲がったりすることがある。
【０００６】
このように、固定つまみやハンドルが破損した場合には、例えば病院、出先、自宅等の酸素濃縮装置を使用している現場では、酸素濃縮装置を移動して使用することができなくなってしまい、患者は酸素の供給を受けることができなくなるおそれがある。
そこで、本発明は、酸素濃縮装置を使用している際にハンドルに不具合が出た場合に、ハンドルを容易に交換できる酸素濃縮装置を提供することを目的とする。
【課題を解決するための手段】
【０００７】
本発明の酸素濃縮装置は、車輪により移動可能で、患者を含む使用者が酸素吸入を行うための酸素濃縮装置であって、前記酸素を生成する装置本体と、前記装置本体を移動する際に持つハンドルであって、前記装置本体に対して伸縮可能に設けられる前記ハンドルと、を有し、前記ハンドルを、前記装置本体に対して取外し可能に支持するハンドル支持機構部を備えることを特徴とする。
上記構成によれば、伸縮可能に設けられるハンドルは、ハンドル支持機構部により、装置本体に対して取外し可能に支持されている。このため、酸素濃縮装置を使用している際にハンドルに不具合が出た場合に、ハンドルを容易に交換できる。
【０００８】
好ましくは、前記ハンドルは、前記装置本体を移動する際に持つための取手部と、前記取手部が端部に取り付けられているパイプ部材と、を有し、前記ハンドル支持機構部は、前記装置本体に対して着脱可能に固定され、前記パイプ部材を移動可能に支持する第１支持体と、前記装置本体に対して着脱可能に固定され、前記パイプ部材を移動可能に支持し、前記第１支持体よりも下部に配置されている第２支持体と、を有することを特徴とする。
上記構成によれば、ハンドル支持機構部の第１支持体と第２支持体は、ハンドルのパイプ部材を装置本体に対して移動可能に支持している。このように、ハンドル支持機構部の第１支持体と第２支持体を採用することで、例えばハンドルのパイプ部材を、別の外側の長いガイドパイプ内に通して、この別の外側のガイドパイプに沿って、ハンドルの内側のパイプ部材を移動可能とする２重パイプ構造を採用する場合に比べて、装置本体の軽量化が図れる。
【０００９】
好ましくは、前記装置本体は、前記ハンドルの前記パイプ部材と前記第１支持体と前記第２支持体を覆い、前記装置本体に対して着脱可能なカバー部材を有することを特徴とする。
上記構成によれば、カバー部材は、ハンドルのパイプ部材と第１支持体と前記第２支持体を覆っているので、外観上の見栄えが良くなる。しかも、このカバー部材は装置本体に対して着脱可能であるので、このカバー部材を装置本体から外すことができる。このため、ハンドル、第１支持体と前記第２支持体の故障等が発生した際には、必要な部品の交換が容易に行える。
【００１０】
好ましくは、前記装置本体の上部には、手指挿入用の凹部が設けられており、前記ハンドルが前記装置本体側に収納された状態では、前記取手部は、前記装置本体の前記手指挿入用の凹部に対応する位置には取手部凹部を有することを特徴とする。
上記構成によれば、患者を含む使用者等は、取手部凹部を通じて、手指を手指挿入用の凹部に差し入れることができる。このため、患者を含む使用者等は、ハンドルを使わずに、装置本体を直接持って移動することができる。
【００１１】
好ましくは、前記パイプ部材には、複数の位置決め用の孔部が設けられており、前記第１支持体は位置決め用のピンを有し、前記複数の位置決め用の孔部のいずれかに対して、前記位置決め用のピンを挿入することで、前記装置本体からの前記パイプ部材の引出し長さの調整が可能であることを特徴とする。
上記構成によれば、第１支持体の位置決め用のピンを、パイプ部材の複数の位置決め用の孔部のいずれかに対して挿入することで、装置本体からのパイプ部材の引出し長さを、患者を含む使用者の体格に応じて、調整することができる。
【００１２】
好ましくは、前記ハンドルが前記装置本体内に収納されている状態で、前記ハンドルの端部は、前記装置本体を設置している設置面に向かって延びて、前記設置面に突き当たるやや手前に達する構成とされていることを特徴とする。
上記構成によれば、ハンドル下端が設置面に当接して支持する構成とした場合には装置が傾いた場合でも倒伏する前に前記ハンドル下端が設置面に当接して完全に倒れることを防止できる。
ここで、前記ハンドルが前記装置本体内に収納されている状態で、前記ハンドルの端部は、前記装置本体を設置している設置面に向かって延びて、前記設置面に突き当たるやや手前に達する構成である。このため、該設置面に毛足の長い絨毯等が配置されていた場合に、ハンドル下端が絨毯内等に完全に入り込めないことで、ハンドル上端の位置に狂いが生じることを防止できる。
また、好ましくは、前記ハンドルが前記装置本体内に収納されている状態で、前記ハンドルの端部は、前記装置本体を設置している設置面に向かって延びて、前記設置面に突き当た構成とされていてもよい。
上記構成によれば、ハンドルが前記装置本体内に収納されている状態では、ハンドルの端部は設置面に突き当たっているので、装置本体は、ハンドルの端部を用いて安定した状態を維持できる。
【発明の効果】
【００１３】
本発明によれば、酸素濃縮装置を使用している際にハンドルに不具合が出た場合に、ハンドルを容易に交換できる酸素濃縮装置を提供することができる。
【図面の簡単な説明】
【００１４】
【図１】本発明の酸素濃縮装置の好ましい実施形態を示す斜視図である。
【図２】図１に示す酸素濃縮装置の背面図である。
【図３】図１に示す酸素濃縮装置の正面図である。
【図４】操作部の例を示す図である。
【図５】筐体の背面カバー部側の上部を示す斜視図である。
【図６】装置本体から伸縮ハンドルを複数段階に引き出して保持できる状態を示す斜視図である。
【図７】図６に示す装置本体の前面カバー部から、ハンドルカバー部材と伸縮ハンドル等を取り外した状態を示す分解斜視図である。
【図８】ハンドルカバー部材を取り外した正面部分の状態を示す斜視図である。
【図９】伸縮ハンドルと伸縮ハンドル支持機構部の第１支持体を示す斜視図である。
【図１０】伸縮ハンドルの構造例を示す図である。
【図１１】取手部と持ち上げ用の凹部の付近を示す図である。
【図１２】伸縮ハンドル支持機構部の第１支持体の２つのスライダと、スプリングと、伸縮ハンドルの固定状態解除ボタン等を示す断面を有する正面図である。
【図１３】伸縮ハンドル支持機構部の第１支持体の２つのスライダと、スプリングと、伸縮ハンドルの固定状態解除ボタン等を示す断面図である。
【図１４】図１４（Ａ）は、伸縮ハンドルを引き出して伸ばす動作を示し、図１４（Ｂ）は、患者を含む使用者が伸ばして伸縮ハンドルを持って装置本体を移動しようとする状態を示す図である。
【発明を実施するための形態】
【００１５】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
＜酸素濃縮装置１の全体構成＞
図１は、本発明の酸素濃縮装置の好ましい実施形態を示す斜視図である。図２は、図１に示す酸素濃縮装置１の背面図であり、図３は、酸素濃縮装置１の正面図である。図１に示す酸素濃縮装置１では、片方の車輪が取り外された状態を示している。
図１から図３に示す酸素濃縮装置１は、患者を含む使用者や医療従事者等が移動できる移動型の装置である。この酸素濃縮装置１は、例えば、慢性閉塞性肺疾患等の低酸素血症等を有する患者を含む使用者が酸素吸入療法を行う際に、酸素供給源として使用する例えば圧力スイング吸着方式により高濃度酸素を発生する装置である。
【００１６】
図１に示すように、酸素濃縮装置１は、患者を含む使用者等による移動を意図した移動型の酸素濃縮装置（可搬型の酸素濃縮装置ともいう）である。患者を含む使用者による酸素濃縮装置１の移動を考慮して、酸素濃縮装置１の小型化と軽量化を図っている。一例として、酸素濃縮装置１の重量は、好ましくは１０ｋｇを下回る例えば９．９ｋｇであり、外形寸法例としては、高さ×幅×奥行が、５９０ｍｍ×３３０ｍｍ×２９３ｍｍである。この酸素濃縮装置１は、比較的軽量であり、コンパクトなサイズを有しているので、患者を含む使用者は、酸素濃縮装置１の移動を容易に行える。
【００１７】
図１から図３に示す酸素濃縮装置１は、概略的には、装置本体２と、伸縮ハンドル３と、左右の大型の車輪４，４を有している。装置本体２は、好ましくはプラスチック製の筐体５を有している。筐体５は、前面カバー部６と、背面カバー部７と、下部本体部８と、ハンドルカバー部材９を有する。
図１に示すように、大型の左右の車輪４，４は、軽量化のために、例えばプラスチックにより形成されている。左右の車輪４，４の直径は、例えば１８０ｍｍである。左右の軸部４Ａは、下部本体部８において左右反対方向に突出して設けられている。左右の車輪４，４の中央の円形の取付け穴４Ｅには、軸部４Ａがそれぞれはめ込まれる。そして、この取付け穴４Ｅには、固定用の円形部材４Ｂがはめ込まれるとともに、固定ネジ４Ｃが軸部４Ａのメネジにねじこまれる。その後、取付け穴４Ｅには、カバー部材４Ｄがはめ込まれるようになっている。
このようにして、左右の車輪４，４は、軸部４Ａに対して着脱可能に取り付けることができる。このため、仮に車輪４が破損した場合には、患者を含む使用者あるいは患者を含む使用者のサポートをする人が、車輪４を簡単に交換できる。
【００１８】
＜ハンドルカバー部材９＞
図１と図３に示すハンドルカバー部材９は、伸縮ハンドル３と後で説明する伸縮ハンドル支持機構部等を覆うための覆い部材である。ハンドルカバー部材９は、前面カバー部６の正面部分１０を覆うようにして、前面カバー部６に対して着脱可能に装着されている。
前面カバー部６と背面カバー部７は、下部本体部８に対して着脱可能に取り付けられている。前面カバー部６と背面カバー部７は、互いに着脱可能である。
これにより、装置本体２内の各種構成要素のメンテナンス等を行う際には、前面カバー部６と背面カバー部７とハンドルカバー部材９は、容易に分解して取り外すことができる。
【００１９】
前面カバー部６と背面カバー部７と下部本体部８とハンドルカバー部材９は、同系統色であっても良いし、別系統色であっても良い。背面カバー部７とハンドルカバー部材９は、例えばホワイトなどの明るい色を採用し、前面カバー部６と下部本体部８は、例えば暗めの色を採用することで、外観的に見栄えが良くなる。
【００２０】
＜前面カバー部６＞
図１と図３と図４を参照して、前面カバー部６について説明する。
図４は、操作部１４の例を示している。
図１に示すように、前面カバー部６は、正面部分１０と、上面部分１１と、左右の側面部分１２，１３を有している。正面部分１０は、図１と図３では、ハンドルカバー部材９によりほぼ覆われている。上面部分１１は、患者を含む使用者側に見やすいようにハンドルカバー部材９側へ傾斜して形成されている。
【００２１】
図１に示すように、この正面部分１０の上部は、ハンドルカバー部材９には覆われていない。このハンドルカバー部材９により覆われていない正面部分１０の領域は、後で説明する伸縮ハンドル３の取手部４０が収納できる取手部収納部４９になっている。取手部４０が収納された状態では、取手部４０の表面は、上面部分１１の表面からハンドルカバー部材９の表面にかけて、外観上の見栄えが良くなるように、ほぼ連続して傾斜している。
図１から図３に示すように、前面カバー部６の左右の側面部分１２，１３は、上部から中間部へはほぼ垂直に形成されているが、前面カバー部６の中間部から下部にかけては下に向かって広がっている。前面カバー部６の左右の側面部分１２，１３の下部には、車輪カバー部分１２Ａ，１３Ａが膨らむようにしてそれぞれ形成されている。
【００２２】
＜操作部１４＞
図１に示す上面部分１１には、図４に示す操作部１４が配置されている。
図４に示すこの操作部１４は、例えば電源スイッチ１５と、流量インジケータ１６と、流量設定ボタン１７と、メンテナンスボタン１８と、酸素ランプ１９と、表示部２０と、バッテリ残量モニタ２１と、充電中ランプ２１を有している。
電源スイッチ１５は、患者を含む使用者等が押すことで電源のオンオフを行うことで、装置本体２の運転と停止ができる。流量インジケータ１６は、患者を含む使用者に供給されている酸素流量の設定値をデジタルで示す。流量設定ボタン１７は、押すことで酸素流量の増減を設定できる。
メンテナンスボタン１８は、メンテナンス時に押す。酸素ランプ１９は、正常に患者を含む使用者側に酸素を送っている状態であれば、例えば緑色で点灯することで通知する。バッテリ残量モニタ２１は、バッテリの残量を例えば５段階で表示する。充電中ランプ２２は、バッテリが充電中に点灯する。
【００２３】
図４に示す表示部２０は、酸素供給用のチューブが折れたことの警報発生時に点灯するチューブ折れアイコン２０Ａと、コンセントが外れたことの警報発生時に点灯するコンセントアイコン２０Ｂと、酸素濃縮装置における警報発生時に連絡をすべきときに点灯する要連絡アイコン２０Ｃと、火気の検知の警報発生時に点灯する火気検知アイコン２０Ｄと、酸素濃度の低下の警報発生時に点灯する濃度低下アイコン２０Ｅを有する。
図１と図３に示すように、手指挿入用の凹部３０は、正面部分１０の上部であって、上面部分１１の下部の位置に、設けられている。この手指挿入用の凹部３０は、ハンドルカバー部材９により覆われてはいない正面部分１０の上部の領域である。手指挿入用の凹部３０には、患者を含む使用者等の手指を入れることで、装置本体２を直接持ち上げて搬送することができる。
【００２４】
＜背面カバー部７＞
次に、図１と図２と図５を参照して、背面カバー部７について説明する。
図５は、背面カバー部７の上部を示す斜視図である。
背面カバー部７は、前面カバー部６に対して着脱可能に結合できる。図２に示すように、背面カバー部７は、装着部３１と、空気取入口３２と、バッテリ収納凹部３９と、排気口３４を有している。
図１と図２に示すように、背面カバー部７の左右の側面部分７Ｌ，７Ｒは、上部から中間部へはほぼ垂直に形成されているが、背面カバー部７の中間部から下部にかけては下に向かって広がっている。背面カバー部７の左右の側面部分７Ｌ，７Ｒの下部には、車輪カバー部分７Ｓ、７Ｔが膨らむようにしてそれぞれ形成されている。しかも、すでに説明したように、前面カバー部６の左右の側面部分１２，１３の下部には、車輪カバー部分１２Ａ，１３Ａが膨らむようにしてそれぞれ形成されている。これにより、装置本体２は、この下部において、大型の車輪４，４を取り付けることができる領域を確保することができる。
【００２５】
図２と図５に示すように、装着部３１は、背面カバー部７の上部に設けられている。図５に示すように、装着部３１には、電源端子３１Ａと、酸素出口３１Ｂを備える。電源端子３１Ａは、ＡＣアダプタ３５の電源コネクタ３６を着脱可能に接続することで、装置本体２に対して、商用交流電源からの電源供給が可能である。
図５に示す酸素出口３１Ｂは、装置本体２内で生成された酸素を吐出すための吐出し口である。酸素出口３１Ｂは、カプラソケット３７を介してカニューラ３８を接続可能である。患者を含む使用者は、このカニューラ３８を装着することで、酸素の供給を受けることができる。
【００２６】
図２に戻ると、空気取入口３２は、内部に配置されているコンプレッサの動作により装置本体２の周囲の空気を装置本体２の内部に取り込む。この空気取入口３２は、背面カバー部７のほぼ中間位置に設けられている。バッテリ３３は、背面カバー部７に設けられているバッテリ収納凹部３９にはめ込むことで、着脱可能に装着されている。このバッテリ収納凹部３９は、背面カバー部７の底部に配置されている。
このように、比較的重量の大きいバッテリ３３が、背面カバー部７の底部に配置できるので、装置本体２の重心位置が下がって、装置本体２を据え置きした場合の安定性と、装置本体２を移動する際の移動安定性が増す。
なお、装置本体２の電源供給は、図５に示すＡＣアダプタ３５を用いた商用交流電源から行うか、バッテリ３３からの直流電圧を用いて行うことができる。排気口３４は、装置本体２内において分離された窒素ガスを外部に排出する。
【００２７】
＜伸縮ハンドル３および伸縮ハンドル支持機構部５０＞
次に、図６から図１０を参照して、伸縮ハンドル３および伸縮ハンドル支持機構部５０について、説明する。
図６は、装置本体２から伸縮ハンドル３を複数段階に引き出して保持できる状態を示す斜視図である。図７は、図６に示す装置本体２の前面カバー部６から、ハンドルカバー部材９と伸縮ハンドル３を取り外した状態を示す分解斜視図である。
【００２８】
図８は、ハンドルカバー部材９を取り外した正面部分１０の状態を示す斜視図である。図９は、伸縮ハンドル３と伸縮ハンドル支持機構部５０の第１支持体５１を示す斜視図である。
図１０は、伸縮ハンドル３の構造例を示す図である。図１０（Ａ）は、伸縮ハンドル３の正面を示し、図１０（Ｂ）は、伸縮ハンドル３の側面を示し、そして図１０（Ｃ）は、図１０（Ａ）における伸縮ハンドル３のＡ−Ａ線における断面を示す。
【００２９】
図６に示すように、伸縮ハンドル３は、伸縮ハンドル支持機構部５０により、ハンドルカバー部材９の内部において伸縮（移動）可能で、しかも位置を維持できるように支持されている。すなわち、伸縮ハンドル３は、伸縮ハンドル支持機構部５０により支持されていることで、収納された状態から、複数段階で引き出して伸縮ハンドル３の引出し長さを維持することができる。
図６において破線で示すように、伸縮ハンドル支持機構部５０は、ハンドルカバー部材９内に収容されている。しかも、この伸縮ハンドル支持機構部５０は、図８に示すように、正面部分１０に対して着脱可能に固定されている。
【００３０】
図１と図８に示す状態では、伸縮ハンドル３は、取手部４０を除いて、ハンドルカバー部材９側に収められた収納状態を示している。これに対して、図６に示すように、伸縮ハンドル３のパイプ部材４１，４１は、伸縮ハンドル支持機構部５０による支持により、ハンドルカバー部材９内に収められた収納位置ＬＢから、複数段階、例えば３段階の引出し位置Ｌ１、Ｌ２、Ｌ３まで適宜引き出すことができる。この伸縮ハンドル３のパイプ部材４１，４１は、その引出した長さを保つことができる。
これにより、患者を含む使用者は、伸縮ハンドル３の引出し長さを３段階の引出し位置Ｌ１、Ｌ２、Ｌ３で、患者を含む使用者の体格に合わせて選択することができる。このため、患者を含む使用者等は、伸縮ハンドル３の取手部４０を持って、装置本体２を容易にしかも快適に移動させることができる。
【００３１】
＜伸縮ハンドル３＞
＜伸縮ハンドル３の取手部４０＞
図９と図１０に示すように、伸縮ハンドル３は、取手部４０と、２本のパイプ部材４１，４１を有する。取手部４０は、例えばプラスチック製であり、２本のパイプ部材４１，４１は、軽くて丈夫な金属製、例えばアルミニウム製である。ただし、取手部４０と２本のパイプ部材４１，４１の材質は、特に限定されない。パイプ部材４１は、好ましくは断面円形状である。しかし、パイプ部材４１の断面形状は、特に限定されず、例えば断面正方形や長方形等の方形その他多角形や楕円であっても良い。
【００３２】
図９に示すように、取手部４０は、カバー部４０Ａと、基部４０Ｂから成る。カバー部４０Ａと基部４０Ｂは、共にほぼ逆Ｕ字型に形成されている。基部４０Ｂは、パイプ部材４１，４１の上端部に対して、複数のネジ４０Ｃを用いて着脱可能に固定されている。
カバー部４０Ａは、基部４０Ｂに対して被せるようにして配置されている。カバー部４０Ａは、基部４０Ｂに対して、複数のネジ４０Ｄを用いて固定されている。カバー部４０Ａと基部４０Ｂには、ほぼ長方形状の取手部凹部４０Ｆが設けられている。この取手部凹部４０Ｆは、患者を含む使用者等が手指を差し込んで取手部４０を持つために形成されている。
【００３３】
これにより、もし、カバー部４０Ａと基部４０Ｂの少なくとも一方が破損した場合には、患者を含む使用者あるいは患者を含む使用者のサポートをする人は、ネジ４０Ｃ、４０Ｄを取り外す。これにより、取手部４０のカバー部４０Ａと基部４０Ｂは、パイプ部材４１，４１の上端部から簡単に取り外して、容易に新しい取手部４０と交換可能である。
【００３４】
＜伸縮ハンドル３のパイプ部材４１，４１＞
図９に示すように、パイプ部材４１，４１の下端部には、それぞれプラスチック製のキャップ４１Ｃが取り付けられている。このキャップ４１Ｃは、室内の床面あるいは地面等の設置面ＦＷに当てる。これにより、パイプ部材４１，４１の下端部のキャップ４１Ｃ、４１Ｃは、装置本体２を図１に示すように置いた状態では、大型の２つの車輪４，４とともに、装置本体２の安定性を確保する役割を有する。
しかも、好ましくは図２と図３に示すように、下部本体部８は、２つの支持突起部８Ｇを備えている。これらの支持突起部８Ｇは、設置面ＦＷに当たることで、パイプ部材４１，４１の下端部のキャップ４１Ｃ、４１Ｃと、大型の２つの車輪４，４とともに、装置本体２の安定性を確保する役割を有する。
ここで、図２、図３から明らかなように、支持突起部８Ｇ，８Ｇは、装置本体２に関して、車輪４，４を挟んで反対側の位置で、装置本体２の下端付近で並列に同じ長さで突出している。
このため、車輪４，４と支持突起部８Ｇ，８Ｇの各下端が接地面に当接すれば、酸素濃縮装置１を鉛直方向に起立支持できる。
これに加えて、パイプ部材４１，４１の下端部のキャップ４１Ｃ、４１Ｃは図３に示されているように、設置面に当接できる程度に長く設定しておくことで、酸素濃縮装置１が起立状態からハンドル側に傾こうとするときに、これが転倒することを防止することができる。
ところで、例えば、パイプ部材４１，４１の下端部のキャップ４１Ｃ、４１Ｃは図３に示されているように、設置面に当接できる程度に長くなくても良い。むしろ、パイプ部材４１，４１の下端部のキャップ４１Ｃ、４１Ｃは図３に示されているよりもやや短くする（例えば５ミリ以内程度短くする）ことで、酸素濃縮装置１が鉛直方向に起立支持されているときには、パイプ部材４１，４１の下端が設置面に当接しない程度に長さを短く調整されていてもよい。その寸法について適宜決定でき、当接位置よりほぼ１センチ以内であり、より好ましくはほぼ５ミリ以内とすることが好ましい。それ以上短くすると、転倒防止効果を損なう恐れがある。
しかしながら、パイプ部材４１，４１の下端部のキャップ４１Ｃ、４１Ｃは図３に示されているように、設置面に当接できる程度に長くなくても、十分引き下げられていれば、仮に、酸素濃縮装置１が起立状態から、パイプ部材４１，４１側に倒れようとして傾いても、所定位置でパイプ部材４１，４１の下端部のキャップ４１Ｃ、４１Ｃが、設置面に当接することで、それ以上倒れることを防止することができる。
【００３５】
図１０（Ａ）と図１０（Ｃ）に示すように、パイプ部材４１，４１は、それぞれ例えば４つの位置決め用孔部４２Ｔ，４２，４３，４４を有している。一方のパイプ部材４１の４つの位置決め用孔部４２Ｔ，４２，４３，４４と、他方のパイプ部材４１の４つの位置決め用孔部４２Ｔ，４２，４３，４４は、高さ位置が同じである。
最も上にある位置決め用孔部４２Ｔは、図６に示す伸縮ハンドル３を収納段階ＬＢにおいて装置本体２に収納した状態で位置決めする場合に用いられる。また、残りの３つの位置決め用孔部４２，４３，４４は、図６に示す伸縮ハンドル３を引出し段階Ｌ１、Ｌ２、Ｌ３に位置決めする場合にそれぞれ用いられる。
【００３６】
＜伸縮ハンドル支持機構部５０＞
次に、図７と図８と図９を参照して、伸縮ハンドル支持機構部５０を、詳しく説明する。
図７と図８と図９に示す伸縮ハンドル支持機構部５０は、図６に示す伸縮ハンドル３を収納段階ＬＢにおいて装置本体２に収納した状態で位置決めできる。しかも、伸縮ハンドル支持機構部５０は、伸縮ハンドル３を支持しながら、伸縮ハンドル３のパイプ部材４１，４１を図６に示す引出し段階Ｌ１、Ｌ２、Ｌ３で、Ｚ１方向に向けて引き出して位置決めできる。
【００３７】
図７と図８に示すように、伸縮ハンドル支持機構部５０は、第１支持体５１と、第２支持体５２と、装着部５３を有する。第１支持体５１と第２支持体５２と装着部５３は、例えばプラスチック製である。
図７に示すように、第１支持体５１は、正面部分１０の上部に配置されている。装着部５３は、正面部分１０に対して一体的に形成されている。第１支持体５１は、この装着部５３に対して着脱可能に固定されている。第２支持体５２は、正面部分１０の下部において着脱可能に固定されている。
伸縮ハンドル支持機構部５０の第１支持体５１と第２支持体５２は、正面部分１０において、互いに上下に離して着脱可能に固定されている。第１支持体５１と第２支持体５２は、正面部分１０において、左右のパイプ部材４１，４１をＺ１方向、Ｚ２方向に移動（スライド）可能であり、しかもパイプ部材４１，４１の位置を保つことができる役割を有する。
【００３８】
図９と図１０に示すように、第１支持体５１は、左右のパイプ部材４１，４１を着脱可能に支持している。第１支持体５１は、パイプの引出し位置調整部６０と、サポート部材６９を有する。
図９に示すように、パイプの引出し位置調整部６０は、第１部材６１と、第２部材６２と、２つのスライダ６３，６４と、スプリング６５と、伸縮ハンドルの固定状態解除ボタン６６を有する。このパイプの引出し位置調整部６０の各要素の構造とサポート部材６９は、後で説明する。
【００３９】
図８に示すように、第１支持体５１は、正面部分１０の上部において、複数のネジ５３Ｎを用いて着脱可能に取り付けられており、左右のパイプ部材４１，４１を支持している。これに対して、第２支持体５２は、正面部分１０の上部において、複数のネジ５２Ｎを用いて着脱可能に取り付けられており、左右のパイプ部材４１，４１を支持している。
第２支持体５２の両端部は、パイプ通し部分５２Ａ，５２Ａを有する。パイプ部材４１，４１は、これらのパイプ通し部分５２Ａ，５２Ａに、それぞれ着脱可能に通している。パイプ部材４１，４１は、第２支持体５２により、Ｚ１方向とＺ２方向に沿ってスライド可能に支持されている。
【００４０】
次に、図７と図８を参照すると、装着部５３は、正面部分１０の上半分の領域に設けられている。この装着部５３は、ほぼ長方形状でＺ１方向に沿って形成されている縦長の突出部分である。図７に示すように、装着部５３の両側には、Ｚ１方向に沿ってパイプ部材保持及びスライドガイド用の曲面部分５７，５７を有している。第１支持体５１は、正面部分１０の装着部５３に対して、複数のネジ５３Ｎを用いて着脱可能に固定している。
これにより、左右のパイプ部材４１，４１は、それぞれ曲面部分５７，５７に沿って、Ｚ１方向あるいはＺ２方向に沿ってスライド可能である。また、左右のパイプ部材４１，４１は、図６に示す収納段階ＬＢと引出し段階Ｌ１、Ｌ２、Ｌ３で、それぞれ曲面部分５７，５７において動かないように支持することが可能になっている。
【００４１】
＜正面部分１０＞
ここで、図８を参照して、正面部分１０の構造例をさらに説明する。
正面部分１０には、上述したように、装着部５３が設けられている。この装着部５３には、さらにスピーカ７０と、ブザー７１と、シリアル通信用の情報通信コネクタ７２が配置されている。スピーカ７０は、必要な情報や警報等を患者を含む使用者等に対して音声で通知する。ブザー７１は、例えば警報等を音で通知する。情報通信コネクタ７２は、例えばメンテナンス時に、メイン基板との間で情報のやり取りを行う。
【００４２】
また、図７と図８に示すように、正面部分１０は、この装着部５３の上部の位置に、装置本体２を直接持つための手指挿入用の凹部３０を有している。手指挿入用の凹部３０は、図３にも示している。
図１１は、取手部４０と手指挿入用の凹部３０の付近を示す図である。
図８と図１１に示すように、この手指挿入用の凹部３０は、取手部４０の取手部凹部４０Ｆの形状に合わせた形状になっている。取手部４０が、正面部分１０の取手部収納部４９において収納されている。
【００４３】
これにより、患者を含む使用者あるいは患者を含む使用者のサポートをする人は、図１１に示すように、手指Ｈをこの取手部４０の取手部凹部４０Ｆを通じて、手指挿入用の凹部３０内に差し込むことができる。このため、患者を含む使用者あるいは患者を含む使用者のサポートをする人は、手指Ｈにより、伸縮ハンドル３を用いずに伸縮ハンドル３の取手部４０を取手部収納部４９に収めた状態で、装置本体２を直接持って移動することが可能である。
【００４４】
次に、図１２と図１３を参照して、伸縮ハンドル支持機構部５０の第１支持体５１の構造と動作を、さらに詳しく説明する。
図１２は、第１支持体５１の２つのスライダ６３，６４と、スプリング６５等を示す断面を有する正面図である。図１３は、第１支持体５１の２つのスライダ６３，６４と、スプリング６５と、伸縮ハンドルの固定状態解除ボタン６６等を示す断面図である。図１３（Ａ）は、図１２（Ａ）のＣ−Ｃ線における断面図であり、図１３（Ｂ）は、図１２（Ｂ）のＤ−Ｄ線における断面図である。
【００４５】
図１２（Ａ）と図１３（Ａ）では、位置決め用ピン８０，８０が、左右のパイプ部材４１，４１の最も上に位置する位置決め用孔部４２Ｔ，４２Ｔに対して、挿入されている。すなわち、図１と図７に示すように、伸縮ハンドル３はハンドルカバー部材９内に収納されている状態であり、伸縮ハンドル３の取手部４０は、取手部収納部４９に収められている。
【００４６】
図１２（Ａ）と図１３（Ａ）に示す状態では、伸縮ハンドルの固定状態解除ボタン６６は、患者を含む使用者等の手指Ｈにより矢印Ｐ方向には押されていない。図１２（Ｂ）と図１３（Ｂ）に示す状態では、伸縮ハンドルの固定状態解除ボタン６６は、患者を含む使用者等の手指Ｈにより、スプリング６５の力に抗して、矢印Ｐ方向に押されている。
図９に戻ると、図９に示すように、第１支持体５１の円筒状のホルダ部材６７，６８には、それぞれパイプ部材４１，４１が通っている。第１部材６１と第２部材６２は、左右のパイプ部材４１，４１に渡って取り付けられる部材である。
【００４７】
図９に示すように、第１部材６１は、その両端部に半円筒部分６１Ａ，６１Ａを有している。同様にして、第２部材６２は、その両端部に半円筒部分６２Ａ，６２Ａを有している。
第１部材６１と第２部材６２の間には、２つのスライダ６３，６４と、スプリング６５と、伸縮ハンドルの固定状態解除ボタン６６が収容される。第１部材６１には、長方形状の穴部６１Ｐが設けられている。この伸縮ハンドルの固定状態解除ボタン６６が、この穴部６１Ｐを通じて、第１部材６１の表側に出ている。しかも、この伸縮ハンドルの固定状態解除ボタン６６は、図７に示すハンドルカバー部材９に設けられた穴部９Ｈを通じて、図１に示すようにハンドルカバー部材９の外側に出ている。これにより、患者を含む使用者等は、この伸縮ハンドルの固定状態解除ボタン６６を、ハンドルカバー部材９の上から押すことができる。
【００４８】
図９に示す第１部材６１と第２部材６２が重ね合されると、半円筒部分６１Ａ，６１Ａと半円筒部分６２Ａ，６２Ａが、それぞれホルダ部材６７，６８の外周面を覆うようにして円筒部分を形成する。
しかも、第１部材６１と第２部材６２が重ね合されると、２つのスライダ６３，６４と、スプリング６５と、伸縮ハンドルの固定状態解除ボタン６６が、第１部材６１と第２部材６２の間に収容される。第１部材６１と第２部材６２が複数のネジ６２Ｎにより着脱可能に固定されると、第１部材６１と第２部材６２は、ホルダ部材６７，６８に対して固定できる。また、図９に示すように、サポート部材６９は、その左右端部に円筒部分６９Ａ，６９Ａを有している。これらの円筒部分６９Ａ，６９Ａには、それぞれパイプ部材４１，４１が通っている。
図８に示すように、第１部材６１と第２部材６２とサポート部材６９は、装着部５３の上半分の領域に対して、ネジ５３を用いて着脱可能に固定されている。
【００４９】
図１２と図１３では、第１部材６１の図示は省略することで、第２部材６２と、２つのスライダ６３，６４と、スプリング６５と、伸縮ハンドルの固定状態解除ボタン６６等を示している。
図１２（Ａ）と図１３（Ａ）に示すように、位置決め用ピン８０，８０は、それぞれスライダ６３，６４の外側に向けて突出して設けられている。この状態では、スライダ６３，６４は、中間にあるスプリング６５の力によりＸ１方向，Ｘ２方向にそれぞれ押されている。このため、これらの位置決め用ピン８０，８０は、ホルダ部材６７，６８の孔６７Ｔ，６８Ｔと、パイプ部材４１，４１の位置決め用孔部４２Ｔにはまり込んでいる。つまり、ホルダ部材６７，６８とパイプ部材４１，４１は、位置決め用ピン８０，８０によりそれぞれ固定されており、パイプ部材４１，４１はホルダ部材６７，６８に対しては拘束されており、移動しない。
【００５０】
また、図１３（Ａ）に示すように、伸縮ハンドルの固定状態解除ボタン６６は、２つの傾斜部分６６Ａ，６６Ｂを有している。これらの傾斜部分６６Ａ，６６Ｂは、スプリング６５の力によりそれぞれスライダ６３，６４の傾斜部６３Ｄ，６４Ｄに平行に接している。
これにより、患者を含む使用者等が手指Ｈにより伸縮ハンドルの固定状態解除ボタン６６を矢印Ｐ方向に押すことで、図１３（Ａ）から図１３（Ｂ）に示すように、傾斜部分６６Ａ，６６Ｂは、それぞれスライダ６３，６４の傾斜部６３Ｄ，６４Ｄを押す。従って、図１３（Ｂ）に示すように、スライダ６３，６４は、Ｘ２方向とＸ１方向に、スプリング６５の力に抗して、それぞれ押される。
【００５１】
図１３（Ｂ）に示すように、スライダ６３，６４は、Ｘ２方向とＸ１方向に押されると、位置決め用ピン８０，８０は、パイプ部材４１，４１の位置決め用孔部４２Ｔ，４２Ｔから抜ける。従って、左右のパイプ部材４１，４１は位置決め用ピン８０，８０により拘束されなくなり、左右のパイプ部材４１，４１は、ホルダ部材６７，６８に沿って、Ｚ１方向あるいはＺ２方向にスライド可能になる。
【００５２】
＜酸素濃縮装置１の使用例＞
次に、上述した酸素濃縮装置１の使用例を説明する。
図１４（Ａ）は、患者を含む使用者等が伸縮ハンドル３を引き出して伸ばす動作を示している。図１４（Ｂ）は、患者を含む使用者等が伸縮ハンドル３を伸ばした後に、伸縮ハンドル３を持って装置本体２を、進行方向ＦＦに移動しようとする状態を示している。
図１から図３に示す酸素濃縮装置１の装置本体２の設置状態では、装置本体２は、設置面ＦＷにおいて安定して置かれている。すなわち、伸縮ハンドル３は、装置本体２のハンドルカバー部材９内に収納されている。このため、図２に示すように、装置本体２の支持突起部８Ｇ，８Ｇは、設置面ＦＷに当たる。
【００５３】
これにより、支持突起部８Ｇ，８Ｇは、パイプ部材４１，４１の下端部のキャップ４１Ｃ、４１Ｃと、大型の２つの車輪４，４とともに、合計６つの支持点で、設置面ＦＷに対して安定して置くことができる。パイプ部材４１，４１の下端部のキャップ４１Ｃ、４１Ｃが設置面ＦＷに当たっていることで、装置本体２が進行方向ＦＦ側に転倒するのを防止し、支持突起部８Ｇ，８Ｇが設置面ＦＷに当たっていることで、装置本体２が後ろ方向ＢＫ側に転倒するのを防止している。
このように、装置本体２は、大型の車輪４，４を有しているにもかかわらず、装置本体２は、図１に示すように設置面ＦＷに設置して待機させている状態であっても、装置本体２は前後に倒れないように安定して置くことができる。
【００５４】
図１に示すように、取手部４０が、ハンドルカバー部材９の上部の位置の取手部収納部４９に収納されている状態では、２本のパイプ本体４１，４１のキャップ４１Ｃ，４１Ｃが突き出ていて、パイプ本体４１，４１のキャップ４１Ｃ，４１Ｃは設置面ＦＷに当たっている。しかも、パイプ本体４１，４１のキャップ４１Ｃ，４１Ｃは、装置本体２の進行方向ＦＦ側において、設置面ＦＷに当たっている。これにより、装置本体２が、設置状態である場合には、進行方向ＦＦ側へ転倒するのを防止できる。
【００５５】
そして、患者を含む使用者等が、図１４（Ｂ）に示すように、進行方向ＦＦに沿って移動しようとする場合には、患者を含む使用者等が伸縮ハンドル３をハンドルカバー部材９内から、体格に合わせて引き出す。これにより、パイプ本体４１，４１のキャップ４１Ｃ，４１Ｃは、設置面ＦＷから離れてハンドルカバー部材９内に収納される。このことから、図１４に示すように、パイプ本体４１，４１のキャップ４１Ｃ，４１Ｃが、装置本体２の移動に支障をきたすことがない。
【００５６】
図５に示すように、酸素出口３１Ｂには、カプラソケット３７を介してカニューラ３８を接続する。そして、患者を含む使用者は図４に示す電源ボタン１５を押すことで、予め設定されている酸素流量により、患者を含む使用者は、図５に示すカニューラ３８を装着して酸素の供給を受けることができる。
【００５７】
患者を含む使用者が例えば居間にいて酸素の供給を受けている際に、例えば居間から食堂に行きたくなった場合には、患者を含む使用者は酸素濃縮装置１とともに食堂に移動する場合を例にして説明する。
患者を含む使用者等は、手指Ｈにより図１４（Ａ）に示すように，設置状態にある装置本体２にある伸縮ハンドルの固定状態解除ボタン６６を、Ｐ方向に押す。図１４（Ａ）に示すように、患者を含む使用者等が伸縮ハンドルの固定状態解除ボタン６６を押すことで、図１３（Ａ）から図１３（Ｂ）に示すように、傾斜部分６６Ａ，６６Ｂは、それぞれスライダ６３，６４の内端縁部６３Ｄ，６４Ｄを押す。従って、スライダ６３，６４は、Ｘ２方向とＸ１方向に、スプリング６５の力に抗して、それぞれ押される。
【００５８】
図１３（Ｂ）に示すように、スライダ６３，６４が、Ｘ２方向とＸ１方向に押されると、位置決め用ピン８０，８０は、パイプ部材４１，４１の位置決め用孔部４２Ｔ，４２Ｔから抜ける。従って、左右のパイプ部材４１，４１は位置決め用ピン８０，８０により拘束されなくなり、左右のパイプ部材４１，４１は、ホルダ部材６７，６８に沿って、Ｚ１方向あるいはＺ２方向にスライド可能になる。
【００５９】
そこで、患者を含む使用者は、図６に示すように、伸縮ハンドル３の取手部４０を、患者を含む使用者の体格に合わせて、収納段階ＬＢから引出し段階Ｌ１、Ｌ２、Ｌ３のいずれかまで、Ｚ１方向に引き出す。
例えば、患者を含む使用者が、体格に合わせて、図６に示す取手部４０を引出し段階Ｌ１に引き出した場合には、図１２（Ｂ）に示す位置決め用ピン８０，８０が、図１０に示すパイプ部材４１，４１の上の位置の位置決め孔部４２，４２にはまり込む。これにより、パイプ４１，４１は、Ｚ１方向とＺ２方向のいずれにも、これ以上移動しないように拘束して位置決めすることができる。
【００６０】
同様にして、患者を含む使用者が、図６に示すように、伸縮ハンドル３の取手部４０を、体格に合わせて、引出し段階Ｌ２に引き出した場合には、図１２（Ｂ）に示す位置決め用ピン８０，８０が、図１０に示すパイプ部材４１，４１の中間位置の位置決め孔部４３，４３にはまり込む。これにより、パイプ４１，４１は、Ｚ１方向とＺ２方向のいずれにも、これ以上移動しないように拘束して位置決めする。
【００６１】
さらに、患者を含む使用者が、図６に示すように、伸縮ハンドル３の取手部４０を、体格に合わせて、引出し段階Ｌ３に引き出した場合には、図１２（Ｂ）に示す位置決め用ピン８０，８０が、図１０に示すパイプ部材４１，４１の最も下の位置の位置決め孔部４４，４４にはまり込む。これにより、パイプ４１，４１は、Ｚ１方向，Ｚ２方向のいずれにも、これ以上移動しないように拘束して位置決めする。
【００６２】
このようにして、患者を含む使用者は、体格に合わせて、伸縮ハンドル３の取手部４０の高さ位置を、装置本体２に対して、複数段階の内の１つを選んで設定することができる。患者を含む使用者は、図１４（Ｂ）に示すように手指Ｈにより伸縮ハンドル３の取手部４０を持って、進行方向ＦＦに傾けるようにして、２つの大型の車輪４，４により容易に移動することができる。
従来用いられている移動型の酸素濃縮装置では、安定して移動できるようにする前提から、酸素濃縮装置の設置面からの高さは、できる限り低く設定されている。このため、ハンドルを伸ばすことができないと、患者を含む使用者は腰を屈めて低い姿勢で酸素濃縮装置を移動しなければならない。
【００６３】
しかし、本発明の実施形態の酸素濃縮装置１では、装置本体２の設置面ＦＷからの高さは、できる限り低く設定されてはいる。しかし、図１４（Ａ）と図６に示すように、患者を含む使用者は伸縮ハンドルの固定状態解除ボタン６６を押して、その後この伸縮ハンドルの固定状態解除ボタン６６を離すだけで、伸縮ハンドル３の取手部４０を、ハンドルカバー部材９から複数段階で伸ばして、しかもその長さが変わらないように固定できる。
従って、患者を含む使用者は、装置本体２を移動する際に、腰を屈めて低い姿勢で移動する必要が無くなる。このため、装置本体２の移動性（可搬性）が向上し、患者を含む使用者は、酸素濃縮装置１の伸縮ハンドル３を持って、頻繁に移動することも可能になる。
【００６４】
また、図１１に例示するように、患者を含む使用者あるいは患者を含む使用者のサポートをする人が、伸縮ハンドル３を用いずに、ある場所から別の場所に、装置本体２を持ち上げて運ぶことがある。手指挿入用の凹部３０は、取手部４０の取手部凹部４０Ｆの形状に合わせた形状になっている。取手部４０が、正面部分１０において収納されている状態であり、正面部分１０からは突き出てはいない。
【００６５】
患者を含む使用者あるいは医療従事者等の患者を含む使用者のサポートをする人は、手指Ｈをこの取手部４０の取手部凹部４０Ｆを通じて、装置本体２の手指挿入用の凹部３０に差し込む。
これにより、患者を含む使用者あるいは患者を含む使用者のサポートをする人は、手指Ｈにより、伸縮ハンドル３を用いずに、伸縮ハンドル３をハンドルカバー部材９内に収納した状態で、装置本体２を直接持って運ぶことができる。従って、酸素濃縮装置１の搬送が容易に行える。
【００６６】
ところで、伸縮ハンドル３が、装置本体２を移動していて、仮に伸縮ハンドル３が破損した場合には、患者を含む使用者あるいは患者を含む使用者のサポートをする人は、酸素濃縮装置１を使用している場面において、次のようにして交換することができる。
図７に示すように、患者を含む使用者あるいは患者を含む使用者のサポートをする人が、複数のネジ９Ｎを取って、筐体５からハンドルカバー部材９を取り外して、正面部分１０を露出させる。次に、患者を含む使用者あるいは患者を含む使用者のサポートをする人が、図７に示す複数のネジ５３Ｎを取り外して、伸縮ハンドル３と第１支持体５１を正面部分１０の伸縮ハンドル支持機構部５０の装着部５３から取り外す。また、２本のパイプ本体４１，４１は、第２支持体５２のパイプ通し部分５２Ａ，５２Ａから抜き出す。
【００６７】
これにより、図７に示すように、伸縮ハンドル３と第１支持体５１は、正面部分１０から分離できる。そして、破損したり曲がったたりして交換を必要とする構成要素を交換した後に、図８に示すように、２本のパイプ本体４１，４１は、第２支持体５２のパイプ通し部分５２Ａ，５２Ａに通す。伸縮ハンドル３と第１支持体５１は、複数のネジ５３Ｎを用いて正面部分１０側に固定する。その後、図７に示すハンドルカバー部材９は、複数のネジ９Ｎを用いて、筐体５の正面部分１０と伸縮ハンドル３のパイプ本体４１，４１と第１支持体５１と第２支持体５２を覆うことができる。
このようにして、伸縮ハンドル３と第１支持体５１と第２支持体５２は、正面部分１０に対して、いわゆるボルトオン構造としている。このため、伸縮ハンドル３の破損や曲がった場合と、第１支持体５１と第２支持体５２が破損した場合には、患者を含む使用者あるいは患者を含む使用者のサポートをする人は、交換すべき部品を新しい部品へ、容易に交換することができる。これにより、装置本体２は、別の装置本体と交換することなく、患者を含む使用者に対してこのまま継続して酸素供給を行うために使用することができる。
【００６８】
上述したように、本発明の実施形態の酸素濃縮装置１は、車輪により移動可能で、患者を含む使用者が酸素吸入を行うための装置である。この酸素濃縮装置１は、酸素を生成する装置本体２と、装置本体２を移動する際に持つハンドル３であって、装置本体２に対して伸縮可能に設けられるハンドル３と、を有し、ハンドルを、前記装置本体に対して取外し可能に支持するハンドル支持機構部としての伸縮ハンドル支持機構部５０を備える。
これにより、伸縮可能に設けられるハンドル３は、伸縮ハンドル支持機構部５０により、装置本体２に対して取外し可能に支持されている。このため、酸素濃縮装置１を使用している際にハンドル３に不具合が出た場合に、ハンドル３を容易に交換できる。
【００６９】
ハンドル３は、装置本体２を移動する際に持つための取手部４０と、取手部４０が端部に取り付けられているパイプ部材４１と、を有し、伸縮ハンドル支持機構部５０は、装置本体２に対して着脱可能に固定され、パイプ部材４１を移動可能に支持する第１支持体５１と、装置本体２に対して着脱可能に固定され、パイプ部材４１を移動可能に支持し、第１支持体５１よりも下部に配置されている第２支持体５２を有する。
これにより、伸縮ハンドル支持機構部５０の第１支持体５１と第２支持体５２は、ハンドル３のパイプ部材４１を装置本体２に対して移動可能に支持している。このように、伸縮ハンドル支持機構部５０の第１支持体５１と第２支持体５２を採用することで、例えばハンドルのパイプ部材を、別の外側の長いガイドパイプ内に通して、この別の外側のガイドパイプに沿って、ハンドルの内側のパイプ部材を移動可能とする２重パイプ構造を採用する場合に比べて、装置本体の軽量化が図れる。
【００７０】
装置本体２は、ハンドル３のパイプ部材４１と第１支持体５１と第２支持体５２を覆い、装置本体２に対して着脱可能なカバー部材９を有する。これにより、カバー部材は、ハンドル３のパイプ部材４１と第１支持体５１と第２支持体５２を覆っているので、外観がすっきりして外観上の見栄えが良くなる。しかも、このカバー部材９は装置本体２に対して着脱可能であるので、このカバー部材９を装置本体２から外すことができる。
このため、ハンドル３、第１支持体５１と第２支持体５２の故障等が発生した際には、必要な部品の交換が容易に行える。
【００７１】
装置本体２の上部には、手指挿入用の凹部３０が設けられており、ハンドルが装置本体側に収納された状態では、取手部４０は、装置本体２の手指挿入用の凹部３０に対応する位置には取手部凹部４０Ｆを有する。
これにより、患者を含む使用者等は、取手部凹部４０Ｆを通じて、手指Ｈを手指挿入用の凹部３０に差し入れることができる。このため、患者を含む使用者等は、ハンドル３を使わずに、装置本体２を直接持って移動することができる。
【００７２】
パイプ部材４１には、複数の位置決め用の孔部４２，４３，４４が設けられており、第１支持体は位置決め用のピン８０を有し、複数の位置決め用の孔部４２，４３，４４のいずれかに対して、位置決め用のピン８０を挿入することで、装置本体２からのパイプ部材４１の引出し長さの調整が可能である。
これにより、第１支持体の位置決め用のピン８０を、パイプ部材の複数の位置決め用の孔部４２，４３，４４のいずれかに対して挿入することで、装置本体２からのパイプ部材４１の引出し長さを、患者を含む使用者の体格に応じて、調整することができる。
伸縮ハンドル３が装置本体２内に収納されている状態では、伸縮ハンドル３の端部（下端部）は、装置本体２を設置している設置面ＦＷに突き当たる。これにより、装置本体２は、伸縮ハンドル３の端部を用いて安定した状態を維持できる。
【００７３】
ところで、本発明は上記実施形態に限定されず、種々の変形例を採用することができる。上述の本発明の実施形態では、上記本発明の実施形態に記載された事項は、その一部を省略してもよいし、上記で説明しない他の構成と組み合わせることによっても本発明の範囲を逸脱するものではない。
上述した本発明の実施形態では、伸縮ハンドル３は、取手部４０と、左右のパイプ部材４１，４１を有している。しかしこれに限らず、取手部４０に対して１本のパイプ部材を取り付ける構造を採用しても良い。
【符号の説明】
【００７４】
１・・・酸素濃縮装置、２・・・装置本体、３・・・伸縮ハンドル（ハンドルの例）、４・・・車輪、５・・・筐体、９・・・ハンドルカバー部材（カバー部材の例）、１４・・・操作部、３０・・・装置本体の手指挿入用の凹部（手指を入れる凹部）、４０・・・取手部、４０Ｆ・・・取手部凹部、４１・・・パイプ部材、４２Ｔ，４２，４３，４４・・・位置決め用孔部、５０・・・伸縮ハンドル支持機構部、５１・・・第１支持体、５２・・・第２支持体、６６・・・伸縮ハンドルの固定状態解除ボタン、８０・・・位置決め用のピン、ＦＦ・・・進行方向、ＦＷ・・・設置面
【図１】
2016135198.tif 000003
【図２】
2016135198.tif 000004
【図３】
2016135198.tif 000005
【図４】
2016135198.tif 000006
【図５】
2016135198.tif 000007
【図６】
2016135198.tif 000008
【図７】
2016135198.tif 000009
【図８】
2016135198.tif 000010
【図９】
2016135198.tif 000011
【図１０】
2016135198.tif 000012
【図１１】
2016135198.tif 000013
【図１２】
2016135198.tif 000014
【図１３】
2016135198.tif 000015
【図１４】
2016135198.tif 000016